【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
光を電荷に変換する光電変換素子と、
電源電圧ノードから電源電位の供給を受け、前記光電変換素子により変換された電荷を増幅して画素出力線に出力する増幅用トランジスタと、を含む画素が２次元配列される画素部と、
前記画素出力線の電位が変動する時に、前記電源電圧ノードの電位と前記画素出力線の電位とが互いに逆相で変動するように前記電源電圧ノードの電位を制御する第１の制御手段と
を有することを特徴とする固体撮像装置。
【請求項２】
前記画素は、
リセット信号に応じて前記増幅用トランジスタのゲートをリセットするリセット用トランジスタと、
転送信号に応じて前記光電変換素子により変換された電荷を前記増幅用トランジスタのゲートに転送する転送用トランジスタとを有し、
前記第１の制御手段は、前記リセット信号又は前記転送信号の変動時に、前記電源電圧ノードの電位を変動させることを特徴とする請求項１記載の固体撮像装置。
【請求項３】
前記画素は、リセット信号に応じて前記増幅用トランジスタのゲートをリセットするリセット用トランジスタと、
選択信号に応じて前記増幅用トランジスタと前記電源電圧ノード、あるいは前記増幅用トランジスタと画素出力線とを接続する選択用トランジスタと、
転送信号に応じて前記光電変換素子により変換された電荷を前記増幅用トランジスタのゲートに転送する転送用トランジスタとを有し、
前記第１の制御手段は、前記リセット信号、前記選択信号及び前記転送信号のうちの少なくともいずれかの信号の変動時に、前記電源電圧ノードの電位を変動させることを特徴とする請求項１記載の固体撮像装置。
【請求項４】
前記画素は、リセット信号に応じて前記増幅用トランジスタのゲートをリセットするリセット用トランジスタと、
選択信号に応じて前記増幅用トランジスタと前記電源電圧ノードとを接続する選択用トランジスタとを有し、
さらに、前記リセット用トランジスタのリセット後において前記選択用トランジスタの接続前の前記画素出力線の電位を、前記選択用トランジスタの接続後の前記画素出力線の電位以上の電位に制御する第２の制御手段を有し、
前記第１の制御手段は、前記選択用トランジスタの前記接続前の前記電源電圧ノードの電位を電源電位以下に制御し、前記選択用トランジスタの前記接続後の前記電源電圧ノードの電位を前記電源電位に制御することを特徴とする請求項１記載の固体撮像装置。
【請求項５】
前記第１の制御手段は、前記選択用トランジスタの接続時に前記電源電圧ノードの電位が上がるように前記電源電圧ノードの電位を制御し、
前記第２の制御手段は、前記選択用トランジスタの前記接続時に前記画素出力線の電位が下がるように前記選択用トランジスタの前記接続前の前記画素出力線の電位を制御することを特徴とする請求項４記載の固体撮像装置。
【請求項６】
前記画素は、第１のトランジスタ及び第２のトランジスタを有し、
さらに、前記第１のトランジスタ及び前記第２のトランジスタのゲート電位が互いに逆相で同時に変動するように制御する第３の制御手段を有することを特徴とする請求項１記載の固体撮像装置。
【請求項７】
前記第１のトランジスタ及び前記第２のトランジスタは、リセット信号に応じて前記増幅用トランジスタのゲートをリセットするリセット用トランジスタ、選択信号に応じて前記増幅用トランジスタと前記電源電圧ノードとを接続する選択用トランジスタ、又は転送信号に応じて前記光電変換素子により変換された電荷を前記増幅用トランジスタのゲートに転送する転送用トランジスタであることを特徴とする請求項６記載の固体撮像装置。
【請求項８】
さらに、一の画素に設けられる第１のトランジスタと、
前記一の画素の行に隣接する行の画素に設けられる第２のトランジスタと、
前記第１のトランジスタ及び前記第２のトランジスタのゲート電位が互いに逆相で同時に変動するように制御する第３の制御手段とを有することを特徴とする請求項１記載の固体撮像装置。
【請求項９】
前記第１のトランジスタ及び前記第２のトランジスタは、共に、リセット信号に応じて前記増幅用トランジスタのゲートをリセットするリセット用トランジスタ、又は転送信号に応じて前記光電変換素子により変換された電荷を前記増幅用トランジスタのゲートに転送する転送用トランジスタであることを特徴とする請求項８記載の固体撮像装置。
【請求項１０】
光を電荷に変換する光電変換素子と、
電源電圧ノードから電源電位の供給を受け、前記光電変換素子により変換された電荷を増幅して画素出力線に出力する増幅用トランジスタと、を含む画素が２次元配列される画素部と、
前記画素部に設けられる第１及び第２のトランジスタと、
前記第１のトランジスタ及び前記第２のトランジスタのゲート電位が互いに逆相で同時に変動するように制御する第３の制御手段と
を有することを特徴とする固体撮像装置。
【請求項１１】
前記第１及び第２のトランジスタは、同一の前記画素に設けられることを特徴とする請求項１０記載の固体撮像装置。
【請求項１２】
前記第１及び第２のトランジスタは、リセット信号に応じて前記増幅用トランジスタのゲートをリセットするリセット用トランジスタ、選択信号に応じて前記増幅用トランジスタと前記電源電圧ノード、あるいは前記増幅用トランジスタと画素出力線とを接続する選択用トランジスタ、又は転送信号に応じて前記光電変換素子により変換された電荷を前記増幅用トランジスタのゲートに転送する転送用トランジスタであることを特徴とする請求項１１記載の固体撮像装置。
【請求項１３】
前記第１のトランジスタは、一の画素に設けられ、
前記第２のトランジスタは、前記一の画素の行に隣接する行の画素に設けられることを特徴とする請求項１０記載の固体撮像装置。
【請求項１４】
前記第１及び第２のトランジスタは、共に、リセット信号に応じて前記増幅用トランジスタのゲートをリセットするリセット用トランジスタ、又は転送信号に応じて前記光電変換素子により変換された電荷を前記増幅用トランジスタのゲートに転送する転送用トランジスタであることを特徴とする請求項１３記載の固体撮像装置。
【請求項１５】
光を電荷に変換する光電変換素子と、
電源電圧ノードから電源電位の供給を受け、前記光電変換素子により変換された電荷を増幅して画素出力線に出力する増幅用トランジスタと、を含む画素が２次元配列される画素部と、を有する固体撮像装置の駆動方法であって、
前記画素出力線の電位が変動する時に、前記電源電圧ノードの電位と前記画素出力線の電位とが互いに逆相で変動するように前記電源電圧ノードの電位を制御する第１の制御ステップを有することを特徴とする固体撮像装置の駆動方法。
【請求項１６】
光を電荷に変換する光電変換素子と、
電源電圧ノードから電源電位の供給を受け、前記光電変換素子により変換された電荷を増幅して画素出力線に出力する増幅用トランジスタと、を含む画素が２次元配列される画素部と、前記画素部に設けられる第１及び第２のトランジスタと、を有する固体撮像装置の駆動方法であって、
前記第１のトランジスタ及び前記第２のトランジスタのゲート電位が互いに逆相で同時に変動するように制御する第３の制御ステップを有することを特徴とする固体撮像装置の駆動方法。
【手続補正２】
【補正対象書類名】明細書
【補正対象項目名】０００６
【補正方法】変更
【補正の内容】
【０００６】
本発明の固体撮像装置は、光を電荷に変換する光電変換素子と、電源電圧ノードから電源電位の供給を受け、前記光電変換素子により変換された電荷を増幅して画素出力線に出力する増幅用トランジスタと、を含む画素が２次元配列される画素部と、前記画素出力線の電位が変動する時に、前記電源電圧ノードの電位と前記画素出力線の電位とが互いに逆相で変動するように前記電源電圧ノードの電位を制御する第１の制御手段とを有することを特徴とする。
【手続補正３】
【補正対象書類名】明細書
【補正対象項目名】０００７
【補正方法】変更
【補正の内容】
【０００７】
また、本発明の固体撮像装置は、光を電荷に変換する光電変換素子と、電源電圧ノードから電源電位の供給を受け、前記光電変換素子により変換された電荷を増幅して画素出力線に出力する増幅用トランジスタと、を含む画素が２次元配列される画素部と、前記画素部に設けられる第１及び第２のトランジスタと、前記第１のトランジスタ及び前記第２のトランジスタのゲート電位が互いに逆相で同時に変動するように制御する第３の制御手段とを有することを特徴とする。
【手続補正４】
【補正対象書類名】明細書
【補正対象項目名】０００８
【補正方法】変更
【補正の内容】
【０００８】
また、本発明の固体撮像装置の駆動方法は、光を電荷に変換する光電変換素子と、電源電圧ノードから電源電位の供給を受け、前記光電変換素子により変換された電荷を増幅して画素出力線に出力する増幅用トランジスタと、を含む画素が２次元配列される画素部と、を有する固体撮像装置の駆動方法であって、前記画素出力線の電位が変動する時に、前記電源電圧ノードの電位と前記画素出力線の電位とが互いに逆相で変動するように前記電源電圧ノードの電位を制御する第１の制御ステップを有することを特徴とする。
【手続補正５】
【補正対象書類名】明細書
【補正対象項目名】０００９
【補正方法】変更
【補正の内容】
【０００９】
また、本発明の固体撮像装置の駆動方法は、光を電荷に変換する光電変換素子と、電源電圧ノードから電源電位の供給を受け、前記光電変換素子により変換された電荷を増幅して画素出力線に出力する増幅用トランジスタと、を含む画素が２次元配列される画素部と、前記画素部に設けられる第１及び第２のトランジスタと、を有する固体撮像装置の駆動方法であって、前記第１のトランジスタ及び前記第２のトランジスタのゲート電位が互いに逆相で同時に変動するように制御する第３の制御ステップを有することを特徴とする。